(57)【特許請求の範囲】
【請求項１】
透明のシンボル表示窓が形成された正面パネルと、前記シンボル表示窓の背後に位置させる複数個のリールと、各リールを個別に駆動するモータとを含み、各リールをモータにより駆動することによりリールの外周面に表された複数のシンボルを変動表示した後に各モータの駆動を停止させることによりシンボルの変動表示を停止させていずれかのシンボルをシンボル表示窓内に外部より視認可能に表示するシンボル可変表示装置と、シンボル表示窓の内側位置であってリール停止後にシンボル表示窓より視認されるシンボルを遮らない位置に配置される照明装置とを備えたシンボル可変表示遊戯機において、前記照明装置は、リールの外周面のほぼ前側半周分に沿って湾曲するリール照明部を有する線状発光部材を用いて構成されるとともに、前記線状発光部材のリール照明部は、少なくとも隣り合うリールの境界位置であってリールの外周面の外側の位置に、リールの外周面との距離が均一となるように配置されており、前記正面パネルには、シンボル表示窓内の各リール照明部の対応箇所に、各リール照明部を外部から見えなくする帯状の仕切部分が上下方向に形成されて成るシンボル可変表示遊戯機。
【請求項２】
請求項１に記載のシンボル可変表示遊戯機であって、前記線状発光部材がシンボル表示窓の窓枠部に沿ってさらに配置されているシンボル可変表示遊戯機。
【請求項３】
前記照明装置は、リール照明部の発光色がゲームの進行に応じて可変である請求項１または２に記載されたシンボル可変表示遊戯機。
【発明の詳細な説明】
【０００１】
【産業上の利用分野】
この発明は、スロットマシンやパチンコ機のように、複数のシンボルを照明装置による照明下でシンボル表示窓より視認可能に表示するためのシンボル可変表示装置を備えたシンボル可変表示遊戯機に関する。
【０００２】
【従来の技術】
たとえば、従来のスロットマシンでは、前面の正面パネルに、３個のシンボル表示窓が並列して設けられている。機体の内部には、各シンボル表示窓の背後位置に、シンボル可変表示装置として、外周面に複数のシンボルが表された３個のリールが並列して配置してある。各リールは個別に回転可能であり、各シンボル表示窓からは、リール回転時には、移動状態のシンボルが、また、リール停止時には、３駒分のシンボルが、それぞれ外部より視認できるようになっている。
【０００３】
前記シンボルは、数字や図柄などで構成されており、リール枠の外周面に貼着される帯状シート材の表面に、シルクスクリーン印刷により複数のシンボルを描かれる。
前記シンボル表示窓の内側には、白熱電球や蛍光灯などのリール照明装置が配設してあり、これによりリールの外周面に照明が施される。
【０００４】
前記リール照明装置は、図１６に示すように、正面パネル１０１の内側のシンボル表示窓１０２の上方位置に、白熱電球や蛍光灯などの光源１０３が、外部から視認できないように配設されて成る。この光源１０３からの光はリール１０４の外周面に対して斜め上方から照射される。
【０００５】
また、図１７に示すように、蛍光灯のような光源１０３を、外部からは視認できないリール１０４の内側位置に配備し、この光源１０３からの光をリール１０４の内周面に照射して、シンボルを明示するようにしたものもある。
【０００６】
【発明が解決しようとする課題】
しかしながら、上記した従来例のように、リール照明装置の光源１０３として、白熱電球や蛍光灯を用いた場合、広い設置空間を必要とし、光源１０３の設置場所が正面パネル１０１の内側のシンボル表示窓１０２の上方位置やリール１０４の内側位置などに限られる、という問題がある。
また、図１６の例のように、シンボル表示窓１０２の上方に光源１０３を位置させて、リール１０４の外周面に斜め上方から光を照射すると、リール１０４の外周面は、シンボル表示窓１０２の上部位置では、明るく鮮明に見え、下部位置では、光源１０３からの距離が遠いため、上部位置に比べて暗く見える。そのため、リール１０４の外周面には明暗の段差が上下に生じる。
【０００７】
さらに、遊戯者は、リール１０４の回転時、移動するシンボルを凝視して、所望のシンボルを停止させようとするが、シンボル表示窓１０２の下部位置では、シンボルが見えにくいので、所望のシンボルを狙って停止させにくく、ゲームの面白さが半減する。
さらにまた、前記した明暗の段差があると、眼が疲れやすく、長時間にわたってゲームを継続させるのが困難である。
【０００８】
また、図１７の例のように、リール１０４の内側に光源１０３を位置させて、光をリール１０４の内側から照射すると、照明に無駄があり、シンボル表示面を鮮明に明示させるために、余分の光量が必要となる。そのために、光源１０３に高出力のものを使用したり、光源１０３をリール１０４に接近させたりすると、リールが加熱されて変形するなどのおそれがある。
【０００９】
この発明は、上記問題に着目してなされたもので、線状発光部材を用いてリールの照明装置を構成することにより、機体内の狭い空間でも照明装置の設置を可能とし、加えて、シンボルが表示される面を均一に照明するとともに、余分な光量を必要としないシンボル可変表示遊戯機を提供することを目的とする。
【００１０】
【課題を解決するための手段】
この発明は、透明のシンボル表示窓が形成された正面パネルと、シンボル表示窓の背後に位置させる複数個のリールと、各リールを個別に駆動するモータとを含み、各リールをモータにより駆動することによりリールの外周面に表された複数のシンボルを変動表示した後に各モータの駆動を停止させることによりシンボルの変動表示を停止させていずれかのシンボルをシンボル表示窓内に外部より視認可能に表示するシンボル可変表示装置と、シンボル表示窓の内側位置であってリール停止後にシンボル表示窓より視認されるシンボルを遮らない位置に配置される照明装置とを備えたシンボル可変表示遊戯機において、前記照明装置は、リールの外周面のほぼ前側半周分に沿って湾曲するリール照明部を有する線状発光部材を用いて構成されるとともに、前記線状発光部材のリール照明部は、少なくとも隣り合うリールの境界位置であってリールの外周面の外側の位置に、リールの外周面との距離が均一となるように配置されたものであり、前記正面パネルには、シンボル表示窓内の各リール照明部の対応箇所に、各リール照明部を外部から見えなくする帯状の仕切部分が上下方向に形成されている。
【００１１】
請求項２の発明では、前記線状発光部材がシンボル表示窓の窓枠部に沿ってさらに配置されている。
【００１２】
請求項３の発明では、前記照明装置は、リール照明部の発光色がゲームの進行に応じて可変である。
【００１４】
【作用】
隣合うリールの境界位置に、リールの外周面のほぼ前側半周分に沿って湾曲する線状発光部材のリール照明部を、リールの外周面との距離が均一となるように配置したので、リールの外周面には均一かつ明るい照明が施される。
【００１５】
請求項２のシンボル可変表示遊戯機では、線状発光部材がシンボル表示窓の窓枠部に沿って配置されているので、シンボル表示窓の窓枠部が発光明示される。
【００１６】
請求項３のシンボル可変表示遊戯機では、照明装置は、リール照明部の発光色がゲームの進行に応じて可変であるので、ゲームの進行に応じて多彩な色表示が行え、遊戯者のゲームに対する気分が高められる。
【００１８】
【実施例】
図１は、この発明が実施されたスロットマシンの外観を示す。
このスロットマシンの機体１は、ボックス形状の本体部２の前面開口に扉部３を開閉可能に取り付けて成る。前記本体部２の中空内部には、図２に示すように、上段位置にリールブロック４や制御回路などの回路基板５が、下段位置に多数枚のメダルを収容するホッパー６ａを有するメダル放出機６がそれぞれ組み込まれている。
【００１９】
前記リールブロック４は、金属フレーム７に３個のリール８ａ，８ｂ，８ｃが一体に組付けられて成る。各リール８ａ，８ｂ，８ｃの外周面には、図柄，文字，数字などの複数種のシンボルが表されており、その幾つかのシンボルは、入賞を成立させるためのシンボル（以下「入賞シンボル」という。）を構成する。このリールブロック４には、各リール８ａ，８ｂ，８ｃを個別に回転駆動するステッピングモータ９ａ，９ｂ，９ｃが組み付けてあり、各リール８ａ，８ｂ，８ｃとともにシンボル可変表示装置１０を構成している。
【００２０】
前記扉部３の前面は、各リール８ａ，８ｂ，８ｃのシンボルを表示するためのシンボル表示窓２０を備えた中央の正面パネル１１と、機種名やゲーム情報を表示するための上部パネル１２および下部パネル１３とで構成される。各パネル１１，１２，１３は、透明な合成樹脂板または強化ガラスの表面にシルクスクリーン印刷を施して形成される。
正面パネル１１の下方には、始動レバー１４、３個の停止釦スイッチ１５ａ，１５ｂ，１５ｃ、メダル投入口１６などが、また下部パネル１３の下方には、メダル放出口１７やメダル受け皿１８が、それぞれ配備される。
【００２１】
正面パネル１１の板面中央には、カラー印刷層１１Ａ（図５に示す）で囲まれた透明のシンボル表示窓２０が１個形成されている。このシンボル表示窓２０は、横長矩形状であり、各リール８ａ，８ｂ，８ｃのシンボルをそれぞれ表示する３個のシンボル表示部２０ａ，２０ｂ，２０ｃを構成している。
各シンボル表示部２０ａ，２０ｂ，２０ｃの背後には、前記リールブロック４の各リール８ａ，８ｂ，８ｃが位置し、リール停止時には、リール毎にリール外周面のシンボルが３駒分だけ視認できる。
なお、この実施例では、正面パネル１１の板面に、仕切部分のない１個のシンボル表示窓２０を、３個のリール８ａ，８ｂ，８ｃの配列幅に相当する幅に形成しているが、各リール８ａ，８ｂ，８ｃの幅に相応する幅のリール毎のシンボル表示窓を、仕切部分を介在させて３個並べて形成してもよい。
【００２２】
正面パネル１１の表面には、図３に示すように、シンボル表示窓２０を横切るように、上，中，下，斜めの合計５本の停止ラインＬ１〜Ｌ５が表されており、リール停止時、これら停止ラインＬ１〜Ｌ５上に各リール８ａ，８ｂ，８ｃのシンボルが整列する。これら停止ラインＬ１〜Ｌ５は、前記メダル投入口１６へのメダルの投入枚数が１枚であれば、中央の１本の停止ラインＬ１のみが、２枚であれば、上，中，下の３本の停止ラインＬ１〜Ｌ３が、３枚であれば、５本すべての停止ラインＬ１〜Ｌ５が、それぞれ有効化される。
【００２３】
上記構成のスロットマシンにおいて、メダル投入口１６よりメダルが投入されると、その投入枚数に応じた数の停止ラインが有効化される。ついで始動レバー１４が操作されると、３個のリール８ａ，８ｂ，８ｃが一斉に始動する。この後、停止釦スイッチ１５ａ，１５ｂ，１５ｃが操作される都度、対応するリール８ａ，８ｂ，８ｃが停止する。このとき、有効化された停止ライン上に、入賞のシンボルの組み合わせが成立すると、入賞となり、メダル払出機６の作動により、所定枚数のメダルがメダル放出口１７よりメダル受け皿１８へ放出される。
【００２４】
前記扉部３の内側には、図３〜図５に示すように、リール８ａ，８ｂ，８ｃの外周面を照明するための照明装置２１が配備されている。
【００２５】
この実施例の照明装置２１は、正面パネル１１の内側のシンボル表示窓２０に面する位置に、等間隔に並列配置された４本の側面発光形の光ファイバー２２Ａ，２２Ｂ，２２Ｃ，２２Ｄと、これら光ファイバー２２Ａ，２２Ｂ，２２Ｃ，２２Ｄの各下端面２２０より光を導入させる光源２３とから成る。
【００２６】
各光ファイバー２２Ａ，２２Ｂ，２２Ｃ，２２Ｄは、前記リールブロック４の金属フレーム７に保持されており、それぞれの下端部２２ａは、集合状態に束ねられると共に、各下端面２２０は、前記本体部２内に上向きに配設された光源２３にソケット２５を介して光学的に結合されている。
【００２７】
各光ファイバー２２Ａ，２２Ｂ，２２Ｃ，２２Ｄは、前記本体部２内の仕切壁２４を貫通し、上方へ延びた上半分がリール照明部２２ｂを構成する。
両側位置の２本の光ファイバー２２Ａ，２２Ｄは、リール照明部２２ｂが前記シンボル表示窓２０の両側縁にそれぞれ対応位置し、リール８ａ，８ｂ，８ｃの外周面のほぼ前側半周分に沿うように湾曲させてある。中間位置の２本の光ファイバー２２Ｂ，２２Ｃは、一方の光ファイバー２２Ｂのリール照明部２２ｂが隣合うリール８ａ，８ｂの境界位置に、他方の光ファイバー２２Ｃのリール照明部２２ｂが隣合うリール８ｂ，８ｃの境界位置に、それぞれ対応位置し、リール８ａ，８ｂ，８ｃの外周面のほぼ前側半周分に沿うように湾曲させてある。
【００２８】
各光ファイバー２２Ａ，２２Ｂ，２２Ｃは、光透過性に優れたコアの外周が柔軟性のあるパイプ状のクラッドで被覆された構造のものであり、コアとクラッドの素材を選定して両者間の屈折率を調整し、これにより端面からの導入光が外周面より出射して、外周面が全長にわたり発光するようにしてある。前記コアとしてアクリル樹脂が、クラッドとしてテフロンが、それぞれ用いられるが、各素材はこれに限定されることはない。
【００２９】
なお、光ファイバー２２Ａ，２２Ｂ，２２Ｃ，２２Ｄは、上記した構成のものに限らず、たとえば芯電極とその外周の透明のパイプ状電極との間に交流電圧を印加し、両電極間に介在するパイプ状の発光層を発光させるようにした電界発光の光ファイバーなどを用いてもよい。
【００３０】
また、この発明の照明装置２１は、光ファイバーのような小径かつ線状をなす発光部材を用いて構成されたものであれば、線状発光部材として、冷陰極管ランプやネオン管などを用いて構成してもよい。いずれの線状発光部材を用いる場合でも、線状発光部材は、シンボル表示窓２０の内側の位置であって、リール停止時に、シンボル表示窓２０より視認される３駒分のシンボルを遮らない位置に、配置される。
特に、仕切部分のない１個のシンボル表示窓２０を、３個のリール８ａ，８ｂ，８ｃの配列幅に相当する幅に形成した場合、線状発光部材をシンボル表示窓２０の内側の外部から視認可能な位置であって、隣合うリールの境界位置に配置することによって、仕切部分がなくても、線状発光部材により各リール８ａ，８ｂ，８ｃのシンボルは見やすいものとなる。
【００３１】
この実施例の照明装置２１を構成する前記光源２３は、ハロゲン球、メタルハイランド球、発光ダイオード、半導体レーザーなどが使用される。
光源２３の配設位置は任意に選択できるが、この実施例のように、スペースに余裕がある本体部２内の下部に、光源２３を配設すれば、スペースの有効利用をはかることができる。
【００３２】
電源の投入により光源２３が点灯すると、４本の光ファイバー２２Ａ，２２Ｂ，２２Ｃ，２２Ｄの下端面２２０から光が導入される。これにより各光ファイバー２２Ａ，２２Ｂ，２２Ｃ，２２Ｄは全長にわたって側面発光し、それぞれのリール照明部２２ｂが各リール８ａ，８ｂ，８ｃの外周面に照明を施す。
【００３３】
各光ファイバー２２Ａ，２２Ｂ，２２Ｃ，２２Ｄのリール照明部２２ｂをリール８ａ，８ｂ，８ｃの外周面に沿って湾曲させてあるので、リール８ａ，８ｂ，８ｃの外周面は等距離から等しく照らされるため、上下の明暗の段差が生じることはない。
【００３４】
光ファイバー２２Ａ，２２Ｂ，２２Ｃ，２２Ｄは、発光時に発熱がほとんど生じないので、光ファイバー２２Ａ，２２Ｂ，２２Ｃ，２２Ｄをリール８ａ，８ｂ，８ｃに近づけて配設しても、熱による支障を来すことなく、均一な照明状態が確保される。
【００３５】
中間位置の２本の光ファイバー２２Ｂ，２２Ｃは、リール８ａ，８ｂ，８ｃの互いに隣接する境界位置に配備されているので、外部から見て、これら光ファイバー２２Ｂ，２２Ｃによりシンボル表示窓２０が中央部の２個所で区分されて、３個のシンボル表示部２０ａ，２０ｂ，２０ｃに３分割されているように見える。
【００３６】
また、両側位置の２本の光ファイバー２２Ａ，２２Ｄは、シンボル表示窓２０の両側縁にそれぞれ対応して配備されているので、外部から見て、これら両光ファイバー２２Ａ，２２Ｄによりシンボル表示窓２０の左右の窓枠部２０ｄ，２０ｅが形成されているように見える。
【００３７】
上記した実施例のように光ファイバー２２Ａ，２２Ｂ，２２Ｃ，２２Ｄを配置すれば、シンボル表示窓２０内で各リール８ａ，８ｂ，８ｃの外周面が発光明示されるので、イルミネーション効果が上がり、シンボルの視認を一層明瞭化できる。
【００３８】
なお、中間位置の２本の光ファイバー２２Ｂ，２２Ｃを外部から見えなくすることもでき、この場合は、正面パネル１１の表面のシンボル表示窓２０内の対応箇所に帯状のカラー印刷層１１Ａを上下方向に形成することにより、前記した仕切部分を形成すればよい。
【００３９】
また、光ファイバー２２Ａ，２２Ｂ，２２Ｃ，２２Ｄの上端面には、一般に光反射部が存在し、光源２３からの光の反射光も照明に有効利用されるようになっているが、後述する実施例のように、この開放端を光源２３に帰還させて対向させれば、光源２３の光を一層有効利用できる。
【００４０】
前記光ファイバー２２Ａ，２２Ｂ，２２Ｃ，２２Ｄの側面発光色は、単一色に限らず、二色以上に変化させることも可能である。光源２３として、たとえばハロゲン球やメタルハライド球を使用する場合には、この光源２３の前側に色フィルタを切換可能に配備する。また光源２３として、発光ダイオードを使用する場合には、図６に示すように、発光色の異なる複数の発光ダイオードチップ３１を有する複合素子３２を使用し、各発光ダイオードチップ３１を発光制御部３３で切換制御するようにする。
【００４１】
各光ファイバー２２Ａ，２２Ｂ，２２Ｃ，２２Ｄの発光色を可変にすれば、イルミネーション効果が向上されるうえ、ゲームの進行に応じて多彩な色表示が行え、遊戯者のゲームに対する気分を高めることができる。
【００４２】
なお、前記照明装置２１は、４本の光ファイバー２２Ａ，２２Ｂ，２２Ｃ，２２Ｄと光源２３の組み合わせのみの使用に限らず、蛍光灯や発光ダイオードなどを併用させてもよい。
【００４３】
また、光ファイバーは、図示例のように、必ずしも４本用いる必要はなく、たとえば、図４において一点鎖線で示すように、１本の光ファイバーを湾曲させれば、一連のものとすることができる。
【００４４】
図７〜図９は、光ファイバーの他の適用例を示す。
図示例のものは、１本の側面発光の光ファイバー２２Ａを用いてリール照明部２２ｂを形成したものである。リール照明部２２ｂは、折り返し形状に形成された互いに平行な上下の水平辺部２２ｃ，２２ｄを有し、両水平辺部２２ｃ，２２ｄを、前記シンボル表示窓２０の上下の窓枠部２０ｆ，２０ｇ沿いに対応させてそれぞれ配置してある。
【００４５】
この実施例では、１本の光ファイバー２２Ａをもって形成した上下の水平辺部２２ｃ，２２ｄによりリール８ａ，８ｂ，８ｃの外周面を上下の各方向よりそれぞれ照明できると共に、シンボル表示窓２０の上下の窓枠部２０ｆ，２０ｇを発光明示でき、シンボルの視認性が高められる。
【００４６】
図１０〜図１２は、光ファイバーのさらに他の適用例を示す。
図示例のものは、２本の側面発光形の光ファイバー２２Ａ，２２Ｂを用いてそれぞれのリール照明部２２ｂを形成したものである。一方の光ファイバー２２Ａのリール照明部２２ｂは、折り返し形状に形成された互いに平行な４個の垂直辺部２２ｃ，２２ｄ，２２ｅ，２２ｆを有し、両側位置の垂直辺部２２ｃ，２２ｆを、シンボル表示窓２０の左右両側の窓枠部２０ｄ，２０ｅ沿いに対応させて配置し、中間位置の垂直辺部２２ｄ，２２ｅを、リール８ａ，８ｂ，８ｃの互いに隣接する位置にそれぞれ対応させて配置してある。
【００４７】
他方の光ファイバー２２Ｂのリール照明部２２ｂは、折り返し形状に形成された互いに平行な上下の水平辺部２２ｇ，２２ｈを有し、両水平辺部２２ｇ，２２ｈを、シンボル表示窓２０の上下の窓枠部２０ｆ，２０ｇ沿いに対応させてそれぞれ配置してある。
【００４８】
この実施例では、一方の光ファイバー２２Ａをもって形成した各垂直辺部２２ｃ，２２ｄ，２２ｅ，２２ｆおよび他方の光ファイバー２２Ｂをもって形成した各水平辺部２２ｇ，２２ｈを側面発光させることにより、各リール８ａ，８ｂ，８ｃの外周面が上下の明暗の段差が生じることなく照明されると共に、シンボル表示窓２０の両側縁の窓枠部２０ｄ，２０ｅおよび上下縁の窓枠部２０ｆ，２０ｇが矩形状に発光明示される。
【００４９】
図１３〜図１５は、光ファイバーのさらに他の適用例を示す。
図示例のものは、２本の光ファイバー２２Ａ，２２Ｂでそれぞれ上下の水平辺部２２ｃ，２２ｄを形成し、これら水平辺部２２ｃ，２２ｄをシンボル表示窓２０の上下縁の窓枠部２０ｆ，２０ｇ沿いに、それぞれ対応させて配置している。またリール８ａ，８ｂ，８ｃの互いに隣接する位置およびシンボル表示窓２０の両側縁の窓枠部２０ｄ，２０ｅ沿いに対応する位置に、４本の光ファイバー２２Ｃ〜２２Ｆを配置し、それぞれの上下端を上下の水平辺部２２ｃ，２２ｄに連結している。
【００５０】
この実施例も、各リール８ａ，８ｂ，８ｃの外周面を均一に照光できると共に、光ファイバー２２Ａ〜２２Ｆの合計長さを小さくして、シンボル表示窓２０の両側縁の窓枠部２０ｄ，２０ｅおよび上下縁の窓枠部２０ｆ，２０ｇを発光明示できる。この実施例によれば、前記した実施例と比較して、光ファイバー２２Ａ〜２２Ｆの合計長さを小さくできる。
【００５１】
なお、この発明は、シンボル可変表示装置として３個のリール８ａ，８ｂ，８ｃを有するスロットマシンに限らず、シンボル可変表示装置を有するパチンコ機にも実施でき、さらにリール８ａ，８ｂ，８ｃに代えて、ディスクなどの他のシンボル表示媒体を使用した遊戯機にも実施できる。
【００５２】
【発明の効果】
この発明は上記の如く、隣合うリールの境界位置に、リールの外周面のほぼ前側半周分に沿って湾曲する線状発光部材のリール照明部を、リールの外周面との距離が均一となるように配置したから、リール間の空間を有効に利用することができ、機体内の狭い空間でも照明装置を設置することができる。しかも、リールの外周面は等距離から照光されるので、リールの外周面には均一かつ明るい照明が施され、明暗の段差が生じることがない。
【００５３】
請求項２の発明では、線状発光部材がシンボル表示窓の窓枠部に沿って配置されているので、シンボル表示窓の窓枠部を発光明示させることができ、シンボルの視認性が高められる。
【００５４】
請求項３の発明では、照明装置は、リール照明部の発光色がゲームの進行に応じて可変であるので、ゲームの進行に応じて多彩な色表示が行え、遊戯者のゲームに対する気分を高めることができる。
【図面の簡単な説明】
【図１】この発明の実施例であるスロットマシンの外観を示す斜視図である。
【図２】スロットマシンの内部構成を示す正面図である。
【図３】スロットマシンの正面パネルを示す正面図である。
【図４】光ファイバーの適用例を示すスロットマシン内部の正面図である。
【図５】図４の実施例の要部を破断して示す右側面図である。
【図６】発光色の異なる複数の発光ダイオードチップを有する複合素子を光源とした実施例の説明図である。
【図７】光ファイバーの他の適用例を示す正面パネルの正面図である。
【図８】図７の実施例を示すスロットマシン内部の正面図である。
【図９】図７の実施例の要部を破断して示す右側面図である。
【図１０】光ファイバーの他の適用例を示す正面パネルの正面図である。
【図１１】図１０の実施例を示すスロットマシン内部の正面図である。
【図１２】図１０の実施例の要部を破断して示す右側面図である。
【図１３】光ファイバーの他の適用例を示す正面パネルの正面図である。
【図１４】図１３の実施例を示すスロットマシン内部の正面図である。
【図１５】図１３の実施例の要部を破断して示す右側面図である。
【図１６】従来の照明装置の構成を示す断面図である。
【図１７】従来の他の照明装置の構成を示す断面図である。
【符号の説明】
８ａ，８ｂ，８ｃ  リール
２０  シンボル表示窓
２０ｄ，２０ｅ，２０ｆ，２０ｇ  窓枠部
２１  照明装置
２２Ａ，２２Ｂ，２２Ｃ，２２Ｄ  光ファイバー
２３  光源
【図１】
0004401454.tif 000002
【図２】
0004401454.tif 000003
【図３】
0004401454.tif 000004
【図４】
0004401454.tif 000005
【図５】
0004401454.tif 000006
【図６】
0004401454.tif 000007
【図７】
0004401454.tif 000008
【図８】
0004401454.tif 000009
【図９】
0004401454.tif 000010
【図１０】
0004401454.tif 000011
【図１１】
0004401454.tif 000012
【図１２】
0004401454.tif 000013
【図１３】
0004401454.tif 000014
【図１４】
0004401454.tif 000015
【図１５】
0004401454.tif 000016
【図１６】
0004401454.tif 000017
【図１７】
0004401454.tif 000018